(57)【要約】【課題】視覚的効果及び意匠性の高い立体・可変印刷ジグソーパズル及びその製造方法を提供する。【解決手段】本発明の立体・可変印刷ジグソーパズル及びその製造方法は、厚み０．２〜３．０ｍｍでレンズピッチ２０〜１５０線／インチのレンチキュラーレンズの下側に、前記レンチキュラーレンズのレンズピッチに合せて画像分解された絵柄を形成した台紙ケースを積層した状態で、上方から半抜きを行うことにより、前記レンチキュラーレンズをジグソーパズルのピースとする。【選択図】  なし【特許請求の範囲】
【請求項１】
ジグソーパズルのピースが厚み０．２〜３．０ｍｍでレンズピッチ２０〜１５０線／インチのレンチキュラーレンズにて形成され、該ピースを、前記レンチキュラーレンズのレンズピッチに合せて画像分解された絵柄が形成されている台紙ケースの表面に嵌め込んで立体・可変画像を形作ることを特徴とする立体・可変印刷ジグソーパズル。
【請求項２】
ジグソーパズルのピースが厚み０．２〜３．０ｍｍでレンズピッチ２０〜１５０線／インチのレンチキュラーレンズにて形成され、該ピースの裏面に、前記レンチキュラーレンズのレンズピッチに合せて画像分解された絵柄が形成され、該ピースを台紙ケースの表面に嵌め込んで連続する立体・可変画像を形作ることを特徴とする立体・可変印刷ジグソーパズル。
【請求項３】
レンチキュラーレンズは、透明シート材料の表面に、規則的な凹凸模様を、凹面部が１〜５０μｍ巾の平滑部分を有する様に、シルクスクリーン印刷方式で２０〜１５０線／インチで形作ったものであることを特徴とする請求項１又は２に記載の立体・可変印刷ジグソーパズル。
【請求項４】
レンチキュラーレンズは、透明シート材料の表面に、規則的な凹凸模様を、凹面部が１〜５０μｍ巾の平滑部分を有する様に、シートのプレス加工で２０〜１５０線／インチで形作ったものであることを特徴とする請求項１又は２に記載の立体・可変印刷ジグソーパズル。
【請求項５】
ジグソーパズルのピースがドッドレンズシートにて形成され、該ピースを、網点印刷部を設けた絵柄が形成されている台紙ケースの表面に嵌め込んで立体・可変画像を形作るジグソーパズルであって、網点印刷部の線数（ｍ）とドッドレンズシートの線数（ｎ）が、
ｎ＝５０〜１５０，ｍ＝（１／２〜３／２）×ｎ，ｍ≠ｎ
の関係を有することを特徴とする立体・可変印刷ジグソーパズル。
【請求項６】
ジグソーパズルのピースがドッドレンズシートにて形成され、該ピースの裏面に、網点印刷部を設けた絵柄が形成され、該ピースを台紙ケースの表面に嵌め込んで連続する立体・可変画像を形作るジグソーパズルであって、網点印刷部の線数（ｍ）とドッドレンズシートの線数（ｎ）が、
ｎ＝５０〜１５０，ｍ＝（１／２〜３／２）×ｎ，ｍ≠ｎ
の関係を有することを特徴とする立体・可変印刷ジグソーパズル。
【請求項７】
厚み０．２〜３．０ｍｍでレンズピッチ２０〜１５０線／インチのレンチキュラーレンズの裏面に、前記レンチキュラーレンズのレンズピッチに合せて画像分解された絵柄を形成し、該レンチキュラーレンズの下側に台紙ケースを積層した状態で、上方から半抜き加工を行うことにより、前記レンチキュラーレンズをジグソーパズルのピースとすることを特徴とする立体・可変印刷ジグソーパズルの製造方法。
【請求項８】
透明シート材料の表面に、規則的な凹凸模様を、凹面部が１〜５０μｍ巾の平滑部分を有する様に、シルクスクリーン印刷方式で２０〜１５０線／インチで形作ることにより、レンチキュラーレンズを形成することを特徴とする請求項７に記載の立体・可変印刷ジグソーパズルの製造方法。
【請求項９】
ドッドレンズシートの下側に台紙ケース用基材を積層した状態で、上方から半抜き加工を行うことにより、前記ドッドレンズシートをジグソーパズルのピースとし、前記台紙ケース用基材の表面には網点印刷部を設けた絵柄を形成するジグソーパズルの製造方法であって、
網点印刷部の線数（ｍ）とドッドレンズシートの線数（ｎ）が、
ｎ＝５０〜１５０，ｍ＝（１／２〜３／２）×ｎ，ｍ≠ｎ
の関係を有することを特徴とする立体・可変印刷ジグソーパズルの製造方法。
【請求項１０】
ドッドレンズシートの裏面に、網点印刷部を設けた絵柄を形成し、該ドッドレンズシートの下側に台紙ケースを積層した状態で、上方から半抜き加工を行うことにより、前記ドッドレンズシートをジグソーパズルのピースとするジグソーパズルの製造方法であって、
網点印刷部の線数（ｍ）とドッドレンズシートの線数（ｎ）が、
ｎ＝５０〜１５０，ｍ＝（１／２〜３／２）×ｎ，ｍ≠ｎ
の関係を有することを特徴とする立体・可変印刷ジグソーパズルの製造方法。
【発明の詳細な説明】
【０００１】
【発明の属する技術分野】
本発明は、視覚的効果及び意匠性の高い立体・可変印刷ジグソーパズル及びその製造方法に関する。
【０００２】
【従来の技術】
近年、立体印刷、可変印刷、３Ｄ印刷と称する印刷物が多種提供され、それに用いられる技術も多岐に亘っている。
そして、そのような印刷物は、下敷き、マウスパッド、筆箱等の文房具やトレーディングカード等の玩具、グリーティングカード、ポストカード等として、或いは各種装飾面の一部に取り入れられたものが知られている。
【０００３】
【発明が解決しようとする課題】
本発明者は、ジグソーパズルに前述の立体印刷等の技術を導入し、視覚的効果などを著しく向上させた立体・可変印刷ジグソーパズル及びその製造方法を提供することを目的とする。
【０００４】
【課題を解決するための手段】
ジグソーパズルは、ボール紙などで作られたピースの表面に印刷が施され、その印刷画像が連続するように台紙ケース上に並べる玩具である。
本発明は、ジグソーパズルのピースが厚み０．２〜３．０ｍｍでレンズピッチ２０〜１５０線／インチのレンチキュラーレンズにて形成され、該ピースを、前記レンチキュラーレンズのレンズピッチに合せて画像分解された絵柄が形成されている台紙ケースの表面に嵌め込んで立体・可変画像を形作ることを特徴とする立体・可変印刷ジグソーパズル（以下、第１態様という）、ジグソーパズルのピースが厚み０．２〜３．０ｍｍでレンズピッチ２０〜１５０線／インチのレンチキュラーレンズにて形成され、該ピースの裏面に、前記レンチキュラーレンズのレンズピッチに合せて画像分解された絵柄が形成され、該ピースを台紙ケースの表面に嵌め込んで立体・可変画像を形作ることを特徴とする立体・可変印刷ジグソーパズル（以下、第２態様という）、並びにそれらの製造方法を提案するものである。
【０００５】
上記本発明の第１態様と第２態様では、ジグソーパズルのピースが透明或いは半透明のレンチキュラーレンズで構成され、第１態様では台紙ケースに形成された絵柄と組み合わされることにより立体・可変画像が発現するのに対し、第２態様ではジグソーパズルのピースの裏面に絵柄が形成され、ピース自体に立体・可変画像が施され、台紙ケースには基本的に絵柄が施されていない点で相違する。
【０００６】
また、本発明は、ジグソーパズルのピースがドッドレンズシートにて形成され、該ピースを、網点印刷部を設けた絵柄が形成されている台紙ケースの表面に嵌め込んで立体・可変画像を形作るジグソーパズルであって、網点印刷部の線数（ｍ）とドッドレンズシートの線数（ｎ）が、
ｎ＝５０〜１５０，ｍ＝（１／２〜３／２）×ｎ，ｍ≠ｎ
の関係を有することを特徴とする立体・可変印刷ジグソーパズル（以下、第３態様という）、ジグソーパズルのピースがドッドレンズシートにて形成され、該ピースの裏面に、網点印刷部を設けた絵柄が形成され、該ピースを台紙ケースの表面に嵌め込んで連続する立体・可変画像を形作るジグソーパズルであって、網点印刷部の線数（ｍ）とドッドレンズシートの線数（ｎ）が、
ｎ＝５０〜１５０，ｍ＝（１／２〜３／２）×ｎ，ｍ≠ｎ
の関係を有することを特徴とする立体・可変印刷ジグソーパズル（以下、第４態様という）、並びにそれらの製造方法をも提案するものである。
【０００７】
上記本発明の第３態様と第４態様では、ジグソーパズルのピースが透明或いは半透明のドッドレンズシートで構成され、第３態様では台紙ケースに形成された絵柄と組み合わされることにより立体・可変画像が発現するのに対し、第４態様ではジグソーパズルのピースの裏面に絵柄が形成され、ピース自体に立体・可変画像が施され、台紙ケースには基本的に絵柄が施されていない点で相違する。
【０００８】
【発明の実施の形態】
本発明の立体・可変印刷ジグソーパズル及びその製造方法は、レンチキュラーレンズ部分については、厚み０．２〜３．０ｍｍでレンズピッチ２０〜１５０線／インチのレンチキュラーレンズにて形成されたものであれば特にその製造方法を限定するものではなく、例えば市販品を用いても良い。厚みが前記範囲より薄い場合は、硬度や腰（コシ）が不足して曲がり易くなってピースとして取扱い性が悪くなる。逆に前記範囲より厚い場合には同様に取扱い難い事と材料費が高くなる。前記本発明の第１態様では、ジグソーパズルのピースがこのレンチキュラーレンズ自体にて構成される。
【０００９】
前記本発明の第１態様では、前記ピースを嵌め込む台紙ケースの表面に、前記レンチキュラーレンズのレンズピッチに合せて画像分解された絵柄が形成されている。具体的には、台紙ケースの表面に、画像分解された絵柄を直接印刷しても良いし、画像分解された絵柄を印刷した紙やプラスチックシートを台紙ケースの表面に貼り合わせても良い。
【００１０】
立体・可変画像用カラー原稿をレンズピッチに合わせて画像分解するためのコンピュータソフトは既に市販されているので、これを用いて製版、印刷すれば良く、１５０〜７００線／インチの網点密度で印刷されることが望ましく、オンデマンド印刷等の手段で、油性、ＵＶオフセット印刷、シルク印刷、グラビア印刷、フレキソ印刷等にて行うことができる。ここでレンズピッチとは、前記レンチキュラーレンズのピッチを指す。
【００１１】
本発明の第１態様の立体・可変印刷ジグソーパズルは、以下の手順にて作成することができる。
まず、厚み０．２〜３．０ｍｍでレンズピッチ２０〜１５０線／インチのレンチキュラーレンズを準備し、台紙ケースの表面に、レンチキュラーレンズのレンズピッチに合せて画像分解された絵柄を形成する。
次に、前記レンチキュラーレンズの下側に、前記台紙ケースを積層し、その状態で、上方から半抜き加工を行う。それにより、前記レンチキュラーレンズは、分割されたジグソーパズルのピースとなる。
【００１２】
このように作成される本発明の第１態様の立体・可変印刷ジグソーパズルは、ジグソーパズルのピースが透明なレンチキュラーレンズより構成されるので、通常の絵柄が形成されたピースを組み合わせる場合に比べて嵌め合わせる際に高度な考察が必要となり、より娯楽性が増すものとなる。そして、嵌め合わせて得られる完成画像は、視覚的効果及び意匠性が高い立体・可変画像となり、壁などに掛けて装飾効果が高いものとなる。
【００１３】
また、前記本発明の第２態様でも、ジグソーパズルのピースは、前記レンチキュラーレンズにて構成されるが、この場合にはその裏面側にレンチキュラーレンズのレンズピッチに合せて画像分解された絵柄が形成されている。具体的には、レンチキュラーレンズの裏面に、画像分解された絵柄を裏印刷の手法を用いて直接印刷しても良いし、画像分解された絵柄を印刷した紙やプラスチックシートをレンチキュラーレンズの裏面に貼り合わせても良い。尚、裏貼りする場合の紙やプラスチックシートは、印刷面の上に粘着層又は接着層を形成するようにする。
【００１４】
本発明の第２態様の立体・可変印刷ジグソーパズルは、以下の手順にて作成することができる。
まず、厚み０．２〜３．０ｍｍでレンズピッチ２０〜１５０線／インチのレンチキュラーレンズを準備し、その裏面に、レンチキュラーレンズのレンズピッチに合せて画像分解された絵柄を裏印刷の手法にて形成する。
次に、前記レンチキュラーレンズの下側に、台紙ケースを積層し、その状態で、上方から半抜き加工を行う。それにより、前記レンチキュラーレンズは、分割されたジグソーパズルのピースとなる。
【００１５】
このように作成される本発明の第２態様の立体・可変印刷ジグソーパズルは、ジグソーパズルのピースがレンチキュラーレンズより構成され、且つその裏面に画像分解された絵柄が形成されているので、ピース自体で立体・可変画像が形成されたものとなり、通常の絵柄が形成されたピースに比べて視覚的効果及び意匠性が高いものとなり、より娯楽性が増すものとなる。そして、嵌め合わせて得られる完成画像は、連続する立体・可変画像となり、壁などに掛けて装飾効果が高いものとなる。
【００１６】
また、シルクスクリーン印刷でレンチキュラーレンズ層を作成しても良い。即ち透明シート材料の表面に、規則的な凹凸模様を、凹面部が１〜５０μｍ巾の平滑部分を有する様に、シルクスクリーン印刷方式で２０〜１５０線／インチで形作るようにしても良い。或いはシートのプレス加工で作成しても良い。
【００１７】
その場合に用いる透明シート材料としては、ポリ塩化ビニル、ポリカーボネート、ポリエステル、アクリル樹脂、ポリスチレン、ポリプロピレン、ポリエチレン、ＡＢＳ樹脂、生分解性樹脂などからなるシート、或いは合成紙を用いる事ができる。合成紙などは勿論透明或いは半透明タイプのものを用いる。
【００１８】
規則的な凹凸模様は、上記透明シート材料の表面にレンチキュラーレンズ層を形成するためのものであり、前述のように２０〜１５０線／インチで形作るが、凸面部は通常通りの凸状円弧面であるのに対し、凹面部には（その底面に）１〜５０μｍ巾の平滑部分を有する様に形作られる。このような平滑部分が形成されることにより、絵柄が鮮明で、ズレやモアレ現象、カスミ、ボケなどを大幅に減少でき、優れた意匠性が得られる。
【００１９】
上述の規則的な凹凸模様を形成するためのシルクスクリーン印刷に使用するインキとしては、透明度が高く、型押し等の加工を行うことなく凹凸模様を形成するものであれば特に限定するものではなく、例えば点字用インキ等を好適に用いることができる。より具体的には帝国インキ社製のＵＶクリアーＰＯＴ５０２０改、セイコ−アドバンス社製の点字用インキ改良品、或いは東洋インキ社製の縮み印刷用インキ改良品などを用いる事ができる。これらの印刷では、例えば温度管理を２５℃±５℃と厳密に行ったり、インキの粘度をコントロールすることが重要である場合もある。
【００２０】
本発明の第３態様及び第４態様においては、前述のようにジグソーパズルのピースが透明或いは半透明のドッドレンズシートで構成されている。そして、第３態様では台紙ケースに形成された網点印刷部を設けた絵柄印刷と組み合わされることにより立体・可変画像が発現する。また、第４態様ではジグソーパズルのピースの裏面に絵柄印刷が形成され、ピース自体に立体・可変画像が施され、台紙ケースには基本的に絵柄印刷が施されていない。
【００２１】
本発明の第３態様におけるジグソーパズルのピースは、透明或いは半透明のドッドレンズシートで構成されているが、それ単独では、単なる透明又は半透明のフィルム状であり、通常の印刷物と重ね合わせても何等視覚的効果を実現するものではない。また、台紙ケースに形成した網点印刷部を設けた絵柄印刷とは、それ単独では何等立体的視像を有するものではなく、単なる印刷物であって、よく観察すると微細な網点印刷が施されていることが視認される程度である。そして、これらを組み合わせる、即ち密着させることにより、立体視像が発現する。したがって、そもそも規定の位置に嵌め込むこと自体がジグソーパズルとしての面白さであるが、嵌め込んだ後には、台紙ケースに形成された単なる印刷物としての絵柄が、立体視像を有するものとして発現するので、ジグソーパズルの完成と共に極めて装飾性の高い装飾物となるという面白さが得られるものとなる。
【００２２】
本発明の第４態様におけるジグソーパズルのピースは、透明或いは半透明のドッドレンズシートで構成されているが、その裏面に網点印刷部を設けた絵柄印刷が施されており、それ自体で、立体視像が発現する。そして、ジグソーパズルの完成と共に極めて装飾性の高い装飾物となるという面白さが得られる。
【００２３】
これら第３態様、及び第４態様において、網点印刷部が形成された絵柄印刷は、見かけ上、単色のベタ印刷に見えるものであっても、部分的に異なる網点線数の部分を組み合わせて作成し、これを前記ジグソーパズル（台紙ケース又はピース）に適用することにより、部分的に大きさが異なる網点が異なる立体視感覚を与えるものとなり、従来にない極めて不思議な装飾性を呈するものとなる。網点と背色との色彩関係を適宜に選択することにより、恰も隠し模様が表出するように見せることも可能である。
さらに、絵柄印刷を二種以上の多色印刷物とし、その一種（一色）以上を網点印刷部（以下、通常の印刷部分を平坦印刷部という）とした場合、例えば６色の多色印刷物とし、そのうち３色の絵柄部分について網点印刷部として前記ジグソーパズルに適用すると、３色の絵柄を構成する平坦印刷部では平坦状に視覚され、残る３色の絵柄を構成する網点印刷部では深みを有する立体視像となる。即ち、網点印刷部のみで形成される印刷物に比べて相対的に立体視像がより際立つものとなり、装飾効果がより高いものとなる。特に網点印刷部と平坦印刷部を隣接させることにより、立体視像が際立つものとなる。
【００２４】
また、絵柄印刷の網点印刷部に対して、ドッドレンズシートのドッドパターンを制御する，或いはドッドレンズシートのドッドパターンに対して、絵柄印刷の網点印刷部の網点を制御することにより、部分的に強調された絵柄とすることも可能である。特に後者の制御法の方が容易に行うことができる。
【００２５】
ドッドレンズシートの溝深さを上回るような透明な塗料などでコーティングを行うと、透明性そのものは損なわれないが、その部分だけレンズシートの拡大視効果（レンズ効果）が消失する。即ちドッドレンズシートとして、レンズシートの溝深さを上回るコーティング或いはラミネートを部分的に行った基材では、その部位のみが単なる透明フィルム状となる。そのため、この基材でピースを形成し、前記ジグソーパズルに適用した場合には、コーティング或いはラミネートを部分的に行った箇所では単なる平坦状に視覚されるが、相対的に立体視像がより際立つものとなり、装飾効果がより高いものとなる。
【００２６】
本発明では、絵柄印刷の網点印刷部の線数（ｍ）とピースを構成するドッドレンズシートの線数（ｎ）が、以下に示す範囲の関係を有するときに、立体視像が発現することを見出した。
ｎ＝５０〜１５０，ｍ＝（１／２〜３／２）×ｎ，ｍ≠ｎ
例えばｎ＝５０の時には、ｍ＝２５〜７５，但しｍ≠５０であり、
ｎ＝１００の時には、ｍ＝５０〜１５０，但しｍ≠１００であり、
ｎ＝１３０の時には、ｍ＝６５〜１９５，但しｍ≠１３０であり、
ｎ＝１５０の時には、ｍ＝７５〜２２５，但しｍ≠１５０である。
上記の範囲外では、立体視像が表れなかったり、極めて不鮮明にぼけた状態となり、アイキャッチ効果がなく、視覚的興趣に富んだものとならない。
【００２７】
以下に、本発明の実施例を示すが、本発明はこれらの実施例に限定されるものではなく、特許請求の範囲に記載の構成を変更しない限りどのようにでも実施することができる。また、実施例においては、立体・可変画像を総称して３Ｄ画像と記している。
【００２８】
【実施例】
〔実施例１〕
厚み０．４７ｍｍであり、レンズピッチ７２線／インチであるレンチキュラーレンズを準備した。このレンチキュラーレンズは、シートのプレス加工で作成したものである。
また、台紙ケース用シートの表面に、立体画像用カラー原稿を７２線／インチのピッチに合せ、レンチキュラーディヴェロップメント社製のレンチキュラーＦ／Ｘ（コンピュータ用ソフト）を用いた画像分解を行った製版を基に、オンデマンド印刷で３００線／インチの網点密度でＵＶオフセット印刷を行った。
そして、前記レンチキュラーレンズの下側に、前記台紙ケース用シートを積層した状態で上方から半抜き加工を行い、レンチキュラーレンズのみを分割し、ジグソーパズルのピースとした。
得られたジグソーパズルは、ピースが透明であり、一度ピースをバラバラにして形状等を頼りに高度な嵌め合わせ考察が必要であり、しかも嵌め合わせて形成される完成画像は、視覚的効果及び意匠性が高い３Ｄ画像となる。そのため、組み合わせて完成した達成感、満足感が得られ、娯楽性が高いものであった。さらに、組み合わされたジグソーパズルは、装飾効果の高い壁掛けとすることができた。
【００２９】
〔実施例２〕
厚み０．５ｍｍであり、レンズピッチ７５線／インチであるレンチキュラーレンズを準備した。このレンチキュラーレンズは、シートのプレス加工で作成したものである。
また、その裏面に、立体画像用カラー原稿を７５線／インチのピッチに合せ、レンチキュラーディヴェロップメント社製のレンチキュラーＦ／Ｘ（コンピュータ用ソフト）を用いた画像分解を行った製版を基に、オンデマンド印刷で３００線／インチの網点密度でＵＶオフセット印刷を裏印刷した。
そして、前記レンチキュラーレンズの下側に、台紙ケース用シートを積層した状態で上方から半抜き加工を行い、レンチキュラーレンズのみを分割し、ジグソーパズルのピースとした。
得られたジグソーパズルは、ピース自体が３Ｄ画像を有するものであり、一度ピースをバラバラにして３Ｄ画像が連続するように容易に嵌め合わせることができ、嵌め合わせて形成される（連続する）３Ｄ画像は、視覚的効果及び意匠性が高かった。さらに組み合わされたジグソーパズルは、装飾効果の高い壁掛けとすることができた。
【００３０】
〔実施例３〕
厚み０．３５ｍｍであり、レンズピッチ７２線／インチであるレンチキュラーレンズを準備した。このレンチキュラーレンズは、シートのプレス加工で作成したものである。
また、その裏面に、立体画像用カラー原稿を７２線／インチのピッチに合せ、レンチキュラーディヴェロップメント社製のレンチキュラーＦ／Ｘ（コンピュータ用ソフト）を用いた画像分解を行った製版を基に、オンデマンド印刷で３００線／インチの網点密度でＵＶオフセット印刷を印刷した印刷物を裏貼りした。
そして、前記レンチキュラーレンズの下側に、台紙ケース用シートを積層した状態で上方から半抜き加工を行い、レンチキュラーレンズのみを分割し、ジグソーパズルのピースとした。
得られたジグソーパズルは、ピース自体が３Ｄ画像を有するものであり、一度ピースをバラバラにして３Ｄ画像が連続するように容易に嵌め合わせることができ、嵌め合わせて形成される（連続する）３Ｄ画像は、視覚的効果及び意匠性が高かった。さらに組み合わされたジグソーパズルは、装飾効果の高い壁掛けとすることができた。
【００３１】
〔実施例４〕
透明シート材料として厚み０．８ｍｍのポリエステルフィルムを用い、その片面（＝表面）側に、８０線／インチのピッチで、凹面部の平滑部分が５μｍ巾を有する規則的な凹凸模様を、帝国インキ社製のＵＶクリアーＰＯＴ５０２０改を用い、シルクスクリーン印刷を行ってレンチキュラーレンズを形作った。
また、台紙ケース用シートの表面に、立体画像用カラー原稿を８０線／インチのピッチに合せ、レンチキュラーディヴェロップメント社製のレンチキュラーＦ／Ｘ（コンピュータ用ソフト）を用いた画像分解を行った製版を基に、ＵＶオフセット多色印刷を行った。
そして、前記レンチキュラーレンズの下側に、前記台紙ケース用シートを積層した状態で上方から半抜き加工を行い、レンチキュラーレンズのみを分割し、ジグソーパズルのピースとした。
得られたジグソーパズルは、ピースが透明であり、一度ピースをバラバラにして形状等を頼りに高度な嵌め合わせ考察が必要であり、しかも嵌め合わせて形成される完成画像は、絵柄が鮮明で、ズレやモアレ現象、カスミ、ボケなどを大幅に減少でき、視覚的効果及び意匠性が高い３Ｄ画像となる。そのため、組み合わせて完成した達成感、満足感が得られ、娯楽性が高いものであった。さらに、組み合わされたジグソーパズルは、装飾効果の高い壁掛けとすることができた。
【００３２】
〔実施例５〕
透明シート材料として厚み０．７ｍｍのポリカーボネートフィルムを用い、その片面（＝表面）側に、１２０線／インチのピッチで、凹面部の平滑部分が３μｍ巾を有する規則的な凹凸模様を、帝国インキ社製のＵＶクリアーＰＯＴ５０２０改を用い、シルクスクリーン印刷を行ってレンチキュラーレンズを形作った。
次に、その反対面（＝裏面）に、立体画像用カラー原稿を１２０線／インチのピッチに合せ、レンチキュラーディヴェロップメント社製のレンチキュラーＦ／Ｘ（コンピュータ用ソフト）を用いて画像分解を行った製版を基に、オフセット多色印刷を裏印刷した。
そして、前記レンチキュラーレンズの下側に、台紙ケース用シートを積層した状態で上方から半抜き加工を行い、レンチキュラーレンズのみを分割し、ジグソーパズルのピースとした。
得られたジグソーパズルは、ピース自体が３Ｄ画像を有するものであり、一度ピースをバラバラにして３Ｄ画像が連続するように容易に嵌め合わせることができ、嵌め合わせて形成される（連続する）３Ｄ画像は、絵柄が鮮明で、ズレやモアレ現象、カスミ、ボケなどを大幅に減少でき、視覚的効果及び意匠性が高かった。さらに組み合わされたジグソーパズルは、装飾効果の高い壁掛けとすることができた。
【００３３】
〔実施例６〕
ドッドレンズシートとして、明和グラビア社製のポリエステル樹脂からなる厚み０．３ｍｍである１３０線のものを用い、厚み０．２ｍｍの透明ポリエステル樹脂シートと貼り合わせた後、下面側に台紙ケース用シートを積層した状態で、上方から半抜き加工を行い、貼り合わせたレンズシートのみを分割し、取り外してジグソーパズルのピースとした。台紙ケース用シートの表面には、１２０〜１４０線の網点印刷部を設けた絵柄印刷を行った。
この台紙ケースの絵柄印刷は、そのまま見ても、網点が細かいために単に平坦印刷部としか見えなかった。また、ピースが透明であり、一度ピースをバラバラにして形状等を頼りに高度な嵌め合わせ考察が必要であった。しかし、この台紙ケースに、前記ピースを嵌め込んでジグソーパズルを完成させた結果、立体視像が現れ、部分的に絵柄が強調されている装飾品ができた。そのため、組み合わせて完成した達成感、満足感が得られ、娯楽性が高いものであった。さらに、組み合わされたジグソーパズルは、装飾効果の高い壁掛けとすることができた。
【００３４】
〔実施例７〕
ドッドレンズシートとして、明和グラビア社製のポリエステル樹脂からなる厚み０．３ｍｍである１３０線のものを用い、その裏面に１２０〜１４０線の網点印刷部を設けた絵柄印刷を行った。更にその面に紙を貼り合わせた。下面側に台紙ケース用シートを積層した状態で、上方から半抜き加工を行い、貼り合わせたレンズシートのみを分割し、取り外してジグソーパズルのピースとした。
得られたジグソーパズルは、ピース自体が立体視像を有するものであり、一度ピースをバラバラにして立体視像が連続するように容易に嵌め合わせることができ、嵌め合わせて形成される（連続する）立体視像は、視覚的効果及び意匠性が高かった。さらに組み合わされたジグソーパズルは、装飾効果の高い壁掛けとすることができた。
【００３５】
【発明の効果】
以上説明したように本発明の立体・可変印刷ジグソーパズルは、ジグソーパズルのピースが透明なレンチキュラーレンズで構成され、台紙ケースに施された絵柄と組み合わされることにより立体・可変画像を形成する態様（＝第１態様）においては、ピースが透明なレンチキュラーレンズより構成されるので、通常の絵柄が形成されたピースを組み合わせる場合に比べて嵌め合わせる際に高度な考察が必要であり、しかも嵌め合わせて形成される完成画像は、視覚的効果及び意匠性が高い立体・可変画像となる。そのため、組み合わせて完成した達成感、満足感が得られ、娯楽性が増すものとなる。さらに、組み合わされたジグソーパズルは、壁などに掛けて装飾効果が高いものとなる。
【００３６】
また、ジグソーパズルのピース自体にレンチキュラーレンズを用いた立体・可変画像が施され、台紙ケースには基本的に絵柄が施されていない態様（＝第２態様）において、ピース自体で立体・可変画像が形成されたものとなり、通常の絵柄が形成されたピースに比べて視覚的効果及び意匠性が高いものとなり、嵌め合わせて得られる完成画像は、連続する立体・可変画像となり、壁などに掛けて装飾効果が高いものとなる。
【００３７】
さらに、その製造において、レンチキュラーレンズと台紙ケースを積層した状態にて半抜き加工を行うので、ジグソーパズルの完成画像を形成した状態で半抜き加工を行うものとなり、レンチキュラーレンズと絵柄の一致を確認・チェックして加工を行うことができるため、歩留まりが良いものとなる。
【００３８】
特にレンチキュラーレンズを、透明シート材料の表面に、規則的な凹凸模様を、凹面部が１〜５０μｍ巾の平滑部分を有する様に、シルクスクリーン印刷方式で２０〜１５０線／インチで形作るようにした場合、絵柄が鮮明で、ズレやモアレ現象、カスミ、ボケなどを大幅に減少でき、視覚的効果及び意匠性に優れたものとすることができる。
【００３９】
また、ジグソーパズルのピースがドッドレンズシートで構成され、台紙ケースに施された網点印刷部を設けた絵柄印刷と組み合わされることにより立体視像が発現する態様（＝第３態様）においては、ピースが透明なドッドレンズシートより構成されるので、嵌め合わせる際に高度な考察が必要であり、しかも嵌め合わせて形成される立体視像は、視覚的効果及び意匠性が高いものとなる。そのため、組み合わせて完成した達成感、満足感が得られ、娯楽性が増すものとなる。さらに、組み合わされたジグソーパズルは、壁などに掛けて装飾効果が高いものとなる。
【００４０】
また、ジグソーパズルのピース自体に立体視像が形成され、台紙ケースには基本的に絵柄が施されていない態様（＝第４態様）においても、通常の絵柄が形成されたピースに比べて視覚的効果及び意匠性が高いものとなり、嵌め合わせて得られる完成画像は、連続する立体視像となり、壁などに掛けて装飾効果が高いものとなる。